(57)【要約】【課題】インレットの両面に柔軟性のある布地を配置する場合であっても，ＩＣタグの柔軟性が損なわれないようにする。【解決手段】ＩＣタグ１は，表地用布地１０と裏地用布地１１により，保護膜１２２により保護されたＩＣチップ１２０とこれに接続するアンテナ１２１を実装したインレット１２を挟んだ形態をなしている。品質表示に係る文字を印刷しない表地用布地１０の面には接着層１３が形成されている。インレット１２の寸法（長辺寸法および短辺寸法）は，表地用布地１０の寸法よりも小さくなっており，表地用布地１０に形成した接着層１３の中央部を利用して，ＩＣチップ１２０を少なくとも実装した実装面の裏側が表地用布地１０と接着している。更に，裏地用布地１１は，インレット１２の接着に用いていない接着層１３の周縁部を利用して表地用布地１０と接着している。【選択図】図１
2019003354.tif 000002
【特許請求の範囲】
【請求項１】
片面に接着層を形成した表地用布地と，寸法が表地用布地よりも小さく，前記表地用布地に形成した前記接着層の中央部を利用して，ＩＣチップを少なくとも実装した実装面の裏側が前記表地用布地と接着しているインレットと，前記インレットの接着に用いていない前記接着層の周縁部を利用して，前記表地用布地と接着している裏地用布地と，
を有することを特徴とするＩＣタグ。
【請求項２】
片面に接着層を形成した表地用布地と，寸法が表地用布地よりも小さく，前記表地用布地に形成した前記接着層の中央部を利用して，ＩＣチップを少なくとも実装した実装面の裏側が前記表地用布地と接着しているインレットと，前記インレットの接着に用いていない前記接着層の周縁部を利用して，前記表地用布地と接着している裏地用布地とを有することを特徴とするＩＣタグが，帯状に複数連接した状態に形成されている，
ことを特徴とするＩＣタグ連続体。
【発明の詳細な説明】
【技術分野】
【０００１】
本発明は，商品管理に用いるＩＣタグに関する発明である。
【背景技術】
【０００２】
近年，ＩＣタグを用いた商品管理を導入するアパレル店舗が増えている。アパレル店舗において，ＩＣタグを用いた商品管理を導入する際，アパレル店舗で販売されている商品（アパレル商品）にＩＣタグが取り付けられる。アパレル店舗で販売されているアパレル商品にＩＣタグを取り付けることで，アパレル商品にそれぞれ取り付けたＩＣタグを一度に読み取れるため，バーコードを用いるときよりも棚卸等の商品管理に係る作業を大幅に効率化できる。
【０００３】
アパレル商品にＩＣタグを取り付ける際，特許文献１で開示されているような紙製のＩＣタグを用いるのが一般的である。紙製のＩＣタグは，紙製のＩＣタグにあけた穴に紐を通してアパレル商品に取り付けるが，この取り付け方だと，顧客が商品を手に取るときなどに紙製のＩＣタグが破れて商品から欠落してしまうことがある。
【０００４】
ＩＣタグが破れて商品から欠落してしまうことを防止する手法として，衣類などのアパレル商品にＩＣタグを縫い付けることが考えられる。アパレル商品に縫い付け可能に構成されたＩＣタグは既に開示されており，例えば，特許文献２では，基材に織布および紙からなる群を用いるＩＣタグが開示され，ワイシャツの襟もとやタオルの折り返しにこのＩＣタグを縫い付けることが記載されている。また，特許文献３では，布基材を用いる布ＩＣタグが開示され，ネームタグとして布ＩＣタグを衣類に縫い付けることが記載されている。
【０００５】
衣類などのアパレル商品には，家庭用品品質表示法などの法律により必ず品質表示タグ（洗濯表示ラベルまたはケアラベル）を付けることが義務付けられているため，品質表示タグとＩＣタグを一体化した布製のＩＣタグを用意すれば，商品管理に用いる新たなものをアパレル商品に縫い付ける作業を無くすことができる。
【０００６】
例えば，特許文献２で開示されているＩＣタグの片面に品質表示に係る情報を印字すれば，品質表示タグとＩＣタグを一体化することができるが，品質表示タグを縫い付けるアパレル商品は消費者が身に付けるものが多いため，品質表示タグと一体化させたＩＣタグは，消費者が不快にならない程度の柔軟性を有することが望ましい。
【０００７】
特許文献２で開示されている発明のように，柔軟性のある布地をＩＣタグの基材に用いることで，ＩＣタグの柔軟性を高めることができる。しかし，ＩＣチップとこれに接続するアンテナを実装したインレットの両面に布地を配置し，インレットの両面に接着層を設けた構成のＩＣタグ（例えば，特許文献２の図２）の場合，ＩＣタグの基材に布地を用いても，インレットの両面に設けた接着層により，ＩＣタグの柔軟性が損なわれてしまうことがあった。
【先行技術文献】
【特許文献】
【０００８】
【特許文献１】特開２００８−１７４８６０号公報
【特許文献２】特開２００７−１８４８７号公報
【特許文献３】特開２０１１−１８６８４２号公報
【発明の概要】
【発明が解決しようとする課題】
【０００９】
そこで，本発明は，ＩＣチップとこれに接続するアンテナを実装したインレットの両面に柔軟性のある布地を配置する場合であっても，ＩＣタグの柔軟性が損なわれないようにすることを目的とする。
【課題を解決するための手段】
【００１０】
上述した課題を解決する第１発明は，片面全面に接着層を形成した表地用布地と，寸法が表地用布地よりも小さく，前記表地用布地に形成した前記接着層の中央部を利用して，ＩＣチップを少なくとも実装した実装面の裏側が前記表地用布地と接着しているインレットと，前記インレットの接着に用いていない前記接着層の周縁部を利用して，前記表地用布地と接着している裏地用布地とを有することを特徴とするＩＣタグである。
【００１１】
更に，第２発明は，片面全面に接着層を形成した表地用布地と，寸法が表地用布地よりも小さく，前記表地用布地に形成した前記接着層の中央部を利用して，ＩＣチップを少なくとも実装した実装面の裏側が前記表地用布地と接着しているインレットと，前記インレットの接着に用いていない前記接着層の周縁部を利用して，前記表地用布地と接着している裏地用布地とを有することを特徴とするＩＣタグが，帯状に複数連接した状態に形成されていることを特徴とするＩＣタグ連続体である。
【発明の効果】
【００１２】
そこで，本発明によれば，インレットの実装面側に接着層は存在しないので，表地用布地と裏地用布地によりインレットを挟んだ形態にＩＣタグをしても，ＩＣタグの柔軟性は損なわれない。
【図面の簡単な説明】
【００１３】
【図１】ＩＣタグの表裏を説明する図。
【図２】ＩＣタグの構造を説明する図。
【図３】インレットを説明する図。
【図４】ＩＣタグ連続体の外観を説明する図。
【図５】ＩＣタグ連続体の表裏を説明する図。
【図６】ＩＣタグ連続体の構造を説明する図。
【図７】ＩＣタグ連続体の製造工程を説明する図。
【発明を実施するための形態】
【００１４】
ここから，本発明の好適な実施形態を記載する。なお，以下の記載は本発明の技術的範囲を束縛するものでなく，理解を助けるために記述するものである。
【００１５】
図１は，本実施形態に係るＩＣタグ１の表裏を説明する図である。本実施形態に係るＩＣタグ１は，衣服などのアパレル商品に品質表示タグとして縫い付けて利用されるもので，ＩＣタグ１を縫い付けるアパレル商品としては，衣服に加え，タオルや布団などの布製品，鞄や靴などの衣料小物を想定している。
【００１６】
品質表示タグの表裏に係る明確定義はないが，ここでは，アパレル商品の品質表示を印字する面をＩＣタグ１の表としている。ＩＣタグ１の表側はほぼ平らで，ＩＣタグ１の表側を構成する表地用布地１０には，ＩＣタグ１を縫い付けるアパレル商品の品質表示に係る文字（例えば，ＩＣタグ１を取り付けるアパレル商品の素材や洗濯マークなど）が印字されている。図１において，ＩＣタグ１の裏側を構成する裏地用布地１１は無地であるが，アパレル商品に係る注意書きを裏地用布地１１に印字しておくことができる。なお，図１において，裏地用布地１１の中央部が膨らんでいるように図示しているは，裏地用布地１１の周縁部のみが表地用布地１０と接着していることを明確にするためである。また，図１で図示したＩＣタグ１では，長手方向のエッジを直線にしているが，長手方向のエッジを波型（ギザギザ）にしている品質表示タグもあるので，長手方向のエッジは波型であってもよい。
【００１７】
図２は，本実施形態に係るＩＣタグ１の構造を説明する図で，図１におけるＡ−Ａ’線断面図ある。本実施形態に係るＩＣタグ１は，表地用布地１０と裏地用布地１１により，保護膜１２２により保護されたＩＣチップ１２０とこれに接続するアンテナ１２１を実装したインレット１２を挟んだ形態をなしている。品質表示に係る文字を印刷しない表地用布地１０の面には接着層１３が形成されている。インレット１２の寸法（長辺寸法および短辺寸法）は，表地用布地１０の寸法よりも小さくなっており，表地用布地１０に形成した接着層１３の中央部を利用して，ＩＣチップ１２０を少なくとも実装したインレット１２の実装面の裏側と表地用布地１０が接着している。更に，裏地用布地１１は，インレット１２の接着に用いていない接着層１３の周縁部を利用して表地用布地１０と接着している。なお，表地用布地１０に形成した接着層１３の中央部を利用して，インレット１２の実装面の裏側と表地用布地１０を接着しているのは，品質表示に係る文字を印刷する表地用布地１０の平滑性を高めるためである。
【００１８】
本実施形態に係るＩＣタグ１に係る表地用布地１０および裏地用布地１１には，衣類などのアパレル商品に縫い付けられる品質表示タグの生地が利用される。表地用布地１０および裏地用布地１１に品質表示タグの生地を利用することで，本実施形態に係るＩＣタグ１の柔軟性を高めることができる。品質表示タグの生地としては，ポリエステルサテン，ナイロンタフタまたはコットンタフタなどが一般的に利用されるため，ポリエステルサテン，ナイロンタフタまたはコットンタフタを，本実施形態に係るＩＣタグ１の布地（表地用布地１０と裏地用布地１１）に利用できる。本実施形態に係るＩＣタグ１に用いる布地の色は任意であるが，品質表示タグの生地のほとんどは白色であるため，本実施形態に係るＩＣタグ１の布地（表地用布地１０と裏地用布地１１）の色を白色とすることが望ましい。
【００１９】
本実施形態に係るＩＣタグ１に係る表地用布地１０の片面に形成する接着層１３は，表地用布地１０とインレット１２の接着，および，表地用布地１０と裏地用布地１１の接着に利用する層である。接着層１３の形成に用いる材料は特に限定しないが，柔軟性のある接着剤（粘着剤）を用いることが望ましい。柔軟性のある接着剤としてはゴム系接着剤が有名であるが，アパレル商品が衣服の場合，出荷前に洗濯乾燥が行われるため，使用可能温度範囲が広く，かつ，耐水性・柔軟性に優れたシリコーン系粘着剤を接着層１３に用いることが好適である。
【００２０】
図３は，本実施形態に係るＩＣタグ１に用いるインレット１２を説明する図である。インレット１２の実装面には，アパレル商品の商品管理に用いるデータを記憶したＩＣチップ１２０とこれに接続したアンテナ１２１が実装される。インレット１２のアンテナ１２１は，ＩＣタグ１が利用される周波数帯向けに設計され，図３では，インレット１２のアンテナ１２１を平面アンテナして記載しているが，インレット１２のアンテナ１２１はコイルアンテナであっても構わない。なお，硬化樹脂などにより形成した保護膜１２２で，インレット１２に実装したＩＣチップ１２０のみを覆うことで，ＩＣタグ１の柔軟性を損なうことなく，１回程度の洗濯乾燥に対する耐久性をＩＣタグ１に持たせることができる。
【００２１】
保護膜１２２を設けても，保護膜１２２を薄く作り込むことでＩＣタグ１の柔軟性を維持できる。具体的には，インレット１２に実装したＩＣチップ１２０の部分にＵＶ硬化又は熱硬化型レジンを塗布し，その後，ＵＶ照射又は非接触式加熱によりレジンを硬化させることで，保護膜１２２を薄く作り込むことができる。例えば，硬化前の粘度が１〜５００ｍＰａ・ｓのレジンを用い，ＩＣチップ１２０上に塗布してから０．５秒以内にレジンを硬化させれば，ＩＣチップ１２０を含めた高さが２００ミクロン以内で，サイズが５〜１０ｍｍφの保護膜１２２を形成することができる。
【００２２】
図３で図示したように，表地用布地１０に形成した接着層１３の中央部を利用して，寸法が表地用布地１０のサイズよりも小さいインレット１２を表地用布地１０に接着させ，インレット１２の接着に用いていない接着層１３の周縁部を利用して，裏地用布地１１を表地用布地１０に接着させた形態のＩＣタグ１では，インレット１２の実装面には接着剤が存在しないため，インレット１２の実装面の上にも接着剤を塗布した場合より，ＩＣタグ１の柔軟性は高くなる。
【００２３】
本実施形態に係るＩＣタグ１の形態は，図１で図示した矩形（長方形）の形態ばかりではなく，帯状の形態にすることもできる。図４は，本実施形態に係るＩＣタグ１を帯状の形態にしたＩＣタグ連続体２の外観を説明する図である。
【００２４】
図４で図示したＩＣタグ連続体２は，図１などを用いて説明したＩＣタグ１が，帯状に複数連接した状態に形成されている帯状の媒体で，図４で図示したＩＣタグ連続体２は，リール状に巻き取った形態をなしている。
【００２５】
図５は，ＩＣタグ連続体２の表裏を説明する図である。なお，ここでは，図１等を用いて説明したＩＣタグ１と同様に，アパレル商品の品質表示に係る情報を印字する面をＩＣタグ連続体２の表としている。
【００２６】
図５（ａ）は，ＩＣタグ連続体２の表側を説明する図で，ＩＣタグ連続体２の表側はほぼ平らになっている。図１で図示したＩＣタグ１の表側になる表地用布地１０には，アパレル商品の品質表示に係る文字を印字していたが，ＩＣタグ連続体２の表側になる帯状の表地用布地２０には，アパレル商品の品質表示に係る文字を印字しておらず，ＩＣタグ連続体２を断裁するときの目印となる見当マーク２００を，ＩＣタグ１を形成する間隔に合わせて印刷している。図５（ｂ）は，ＩＣタグ連続体２の裏側を説明する図で，図１等を用いて説明したＩＣタグ１と同様に，ＩＣタグ連続体２の裏側を構成する帯状の裏地用布地２１は無地で，帯状の表地用布地２０と接着しているインレット２２の部分が膨らんでいる。
【００２７】
図６は，本実施形態に係るＩＣタグ連続体２の構造を説明する図で，図５（ｂ）におけるＢ−Ｂ'線断面図である。ＩＣタグ連続体２の場合，帯状の表地用布地２０の片面に帯状の接着層２３が形成される。図５で図示したインレット２２は，図３のインレット１２と同じで，インレット２２の長辺寸法は帯状の表地用布地２０の幅よりも短く，複数のインレット２２が，帯状の接着層２３の中央部を利用して所定間隔で帯状の表地用布地２０の上に接着されている。また，帯状の裏地用布地２１は，インレット２２の接着に利用されていない帯状の接着層２３の部分を利用して，帯状の表地用布地２０と接着している。なお，帯状の表地用布地２０および帯状の裏地用布地２１には品質表示タグの生地が利用され，帯状の接着層２３を形成する接着剤は接着層１３と同じである。
【００２８】
最後に，本実施形態に係るＩＣタグ連続体２の製造工程について説明する。図７は，ＩＣタグ連続体２の製造工程を説明する図である。本実施形態に係るＩＣタグ連続体２は，ＩＣタグ１を形成する間隔に合わせて見当マーク２００を印刷した帯状の表地用布地２０の片面に帯状の接着層２３を形成し（図７（ａ）），帯状の接着層２３を形成した帯状の表地用布地２０の面に，見当マーク２００を利用するなどしてインレット２２を所定間隔で貼り付けた後（図７（ｂ）），インレット２２の実装面に帯状の裏地用布地２１をかぶせて，帯状の表地用布地２０と帯状の裏地用布地２１を接着する（図７（ｃ））ことで製造できる。なお，上記の工程は，全てインラインで行うことが望ましい。
【符号の説明】
【００２９】
１    ＩＣタグ
１０    表地用布地
１１    裏地用布地
１２    インレット
１２０    ＩＣチップ
１２１    アンテナ
１３    接着層
２    ＩＣタグ連続体
２０    帯状の表地用布地
２１    帯状の裏地用布地
２２    インレット
２２０    ＩＣチップ
２２１    アンテナ
２３    帯状の接着層
【図１】
2019003354.tif 000003
【図２】
2019003354.tif 000004
【図３】
2019003354.tif 000005
【図４】
2019003354.tif 000006
【図５】
2019003354.tif 000007
【図６】
2019003354.tif 000008
【図７】
2019003354.tif 000009